(57)【要約】【課題】宿便の排泄促進と腸内の洗浄を行うことができ、痔疾等の人が使用する場合でも使用時に刺激痛が伴うことを抑制可能な排泄用洗浄ノズルを提供すること。【解決手段】腸内の宿便を崩すことで排泄を促しながら腸内を洗浄する排泄用洗浄ノズル１であって、筒状をなし、その筒軸方向の一方の端部が肛門に挿入される肛門挿入部１０Ａとされ、その筒軸方向の他方の端部に設けられた開口から洗浄液が注入されるノズル部１０と、肛門挿入部１０Ａに設けられた一つの出液孔１０Ａ１と、ノズル部１０の肛門挿入部１０Ａ近傍の外周面に設けられ、肛門挿入部１０Ａが肛門に挿入された状態で、ノズル部１０をその筒軸方向に摺動させるとともにその筒軸周りに回転させることで腸内の宿便を崩すための複数の突出部１２と、を備え、複数の突出部１２は、ノズル部１０の筒軸方向において互いにずれた位置で設けられていることを特徴とする。【選択図】図１
0003189063.tif 000002
【実用新案登録請求の範囲】
【請求項１】
腸内の宿便を崩すことで排泄を促しながら腸内を洗浄する排泄用洗浄ノズルであって、
筒状をなし、その筒軸方向の一方の端部が肛門に挿入される肛門挿入部とされ、その筒軸方向の他方の端部に設けられた開口から洗浄液が注入されるノズル部と、
前記肛門挿入部に設けられた少なくとも一つの出液孔と、
前記ノズル部の前記肛門挿入部近傍の外周面に設けられ、前記肛門挿入部が肛門に挿入された状態で、前記ノズル部をその筒軸方向に摺動させるとともにその筒軸周りに回転させることで腸内の宿便を崩すための複数の突出部と、を備え、
前記複数の突出部は、前記ノズル部の筒軸方向において互いにずれた位置で設けられていることを特徴とする排泄用洗浄ノズル。
【請求項２】
前記複数の突出部の先端にそれぞれ曲率が設けられていることを特徴とする請求項１に記載の排泄用洗浄ノズル。
【請求項３】
前記ノズル部の外周面において、前記突出部と重ならない位置で前記ノズル部の筒軸方向に沿って前記肛門挿入部から溝状に設けられた溝部をさらに備えることを特徴とする請求項１または請求項２に記載の排泄用洗浄ノズル。
【請求項４】
前記ノズル部の前記肛門挿入部は、先窄み状とされ、その先端の中央に前記筒軸方向に突出する突起が設けられるとともに、該突起の周りに複数の前記出液孔が設けられていることを特徴とする請求項１から請求項３のいずれか１項に記載の排泄用洗浄ノズル。
【請求項５】
前記ノズル部における前記他方の端部に設けられた開口近傍の周りに、その板面が前記筒軸方向と略直交する姿勢で配される汚水防止板を備えることを特徴とする請求項１から請求項４のいずれか１項に記載の排泄用洗浄ノズル。
【考案の詳細な説明】
【技術分野】
【０００１】
本考案は、腸内の宿便を崩すことで排泄を促しながら腸内を洗浄する排泄用洗浄ノズルに関する。
【背景技術】
【０００２】
従来、腸内の宿便を自力で排泄することが困難な者に対し、肛門に挿入して腸内の宿便を崩すことで排泄を促す器具が知られている。例えば特許文献１には、所定長さの回転軸の先端部に螺旋状の掻込羽根が設けられた排便器具が開示されている。この排便器具では、回転軸の先端部を肛門に挿入した状態で回転軸を回すことにより、掻込羽根によって宿便を崩すことができ、さらに崩した便を螺旋によって連続的に送り出して体外に強制的に排泄できるようになっている。
【先行技術文献】
【特許文献】
【０００３】
【特許文献１】特開２００４−７６４３５号公報
【考案の概要】
【考案が解決しようとする課題】
【０００４】
しかしながら、上記特許文献１に開示された排便器具は、掻込羽根が回転軸の全周にわたって設けられるため、掻込羽根が肛門を通過する際に、肛門が過度に拡張してしまう虞があった。このため、上記排便器具を痔疾等の者が使用すると、使用時に刺激痛を伴う虞があった。また上記排便器具は、宿便を崩した後の腸内を洗浄する機能を備えていなかった。
【０００５】
本考案は、上記の課題に鑑みて創作されたものであって、宿便の排泄促進と腸内の洗浄を行うことができ、痔疾等の者が使用する場合でも使用時に刺激痛が伴うことを抑制可能な排泄用洗浄ノズルを提供することを目的とする。
【課題を解決するための手段】
【０００６】
本考案の排泄用洗浄ノズルは、腸内の宿便を崩すことで排泄を促しながら腸内を洗浄する排泄用洗浄ノズルであって、筒状をなし、その筒軸方向の一方の端部が肛門に挿入される肛門挿入部とされ、その筒軸方向の他方の端部に設けられた開口から洗浄液が注入されるノズル部と、前記肛門挿入部に設けられた少なくとも一つの出液孔と、前記ノズル部の前記肛門挿入部近傍の外周面に設けられ、前記肛門挿入部が肛門に挿入された状態で、前記ノズル部をその筒軸方向に摺動させるとともにその筒軸周りに回転させることで腸内の宿便を崩すための複数の突出部と、を備え、前記複数の突出部は、前記ノズル部の筒軸方向において互いにずれた位置で設けられていることを特徴とする。
【０００７】
上記の排泄用洗浄ノズルによると、ノズル部の肛門挿入部が肛門に挿入された状態で、他方の開口から洗浄液を注入して肛門挿入部に設けられた出液孔から腸内へと流入させることで腸内を洗浄することができる。また、肛門挿入部が肛門に挿入された状態で、ノズル部をその筒軸方向に摺動させるとともにその筒軸周りに回転させることで腸内の宿便を複数の突出部によって崩すことができる。このとき、複数の突出部がノズル部の筒軸方向において互いにずれた位置で設けられていることから、ノズル部をその筒軸方向に摺動させても、複数の突出部が交互に肛門を通過し、同時に肛門を通過することがない。このため、複数の突出部が同時に肛門を通過することで肛門が過度に拡張するのを防止しながら宿便の排泄促進と腸内の洗浄を行うことができ、痔疾等の者が使用する場合でも使用時に刺激痛が伴うことを抑制することができる。
【０００８】
上記の排泄用洗浄ノズルにおいて、前記複数の突出部の先端にそれぞれ曲率が設けられていてもよい。
この構成によると、複数の突出部の先端が先尖状とされている場合と比べて、複数の突出部が肛門を通過する際に刺激痛が伴うことを抑制することができる。
【０００９】
上記の排泄用洗浄ノズルでは、前記ノズル部の外周面において、前記突出部と重ならない位置で前記ノズル部の筒軸方向に沿って前記肛門挿入部から溝状に設けられた溝部をさらに備えてもよい。
この構成によると、肛門挿入部を肛門から出さなくても、腸内に注入した洗浄液を溝部によって体外へと効果的に排出させることができる。
【００１０】
上記の排泄用洗浄ノズルにおいて、前記ノズル部の前記肛門挿入部は、先窄み状とされ、その先端の中央に前記筒軸方向に突出する突起が設けられるとともに、該突起の周りに複数の開口が設けられてもよい。
この構成によると、排泄用洗浄ノズルを使用して腸内の宿便を崩す際、肛門挿入部に設けられた突起を利用して腸内の宿便を効果的に崩すことができる。また、肛門挿入部に設けられた複数の出液孔の開口径はそれぞれノズル部の内径よりも小さなものとなるので、排泄用洗浄ノズルを使用して腸内を洗浄する際、各出液孔から噴出される洗浄液の水圧が高められ、腸内を効果的に洗浄することができる。
【００１１】
上記の排泄用洗浄ノズルは、前記ノズル部における前記他方の端部に設けられた開口近傍の周りに、その板面が前記筒軸方向と略直交する姿勢で配される汚水防止板を備えてもよい。
この構成によると、排泄用洗浄ノズルが汚水防止板を備えることで、排泄用洗浄ノズルを使用して腸内を洗浄する際、体外へと排出される汚れた洗浄液（汚水）を汚水防止板によって受け止めることができる。このため、体外へと排出された汚水が使用者の周囲に漏洩することを防止することができる。
【考案の効果】
【００１２】
本考案によれば、宿便の排便促進と腸内の洗浄を行うことができ、痔疾等の者が使用する場合でも使用時に刺激痛が伴うことを抑制可能な排泄用洗浄ノズルを提供することができる。
【図面の簡単な説明】
【００１３】
【図１】実施形態１に係る排泄用洗浄ノズルの斜視図
【図２】排泄用洗浄ノズルの要部を拡大した側面図
【図３】排泄用洗浄ノズルの使用態様を示す模式図
【図４】実施形態２に係る排泄用洗浄ノズルの斜視図
【図５】実施形態３に係る排泄用洗浄ノズルの斜視図
【図６】汚水防止板が取り付けられた排泄用洗浄ノズルの斜視図
【考案を実施するための形態】
【００１４】
＜実施形態１＞
図１から図３を参照して実施形態１を説明する。本実施形態では、肛門に挿入された状態で摺動及び回転させることで、腸内の宿便を崩し、排泄を促しながら腸内を洗浄することが可能な排泄用洗浄ノズル１について例示する。
【００１５】
本実施形態で例示する排泄用洗浄ノズル１は、例えば抗菌性を有する合成樹脂製とされ、図１に示すように、細長い略円筒状をなすノズル部１０よりなるものである。ノズル部１０は、その両端部が開口しており、これによりノズル部１０の内部には、当該ノズル部１０の筒軸方向に貫通する貫通孔が形成されている。ノズル部１０における両端部のうち一方の端部は、使用時に肛門に挿入される肛門挿入部１０Ａとされる。
【００１６】
肛門挿入部１０Ａはその開口全体が、洗浄液が噴出される出液孔１０Ａ１とされる。ノズル部１０における肛門挿入部１０Ａの近傍の外周面には、図１に示すように、ノズル部１０の外側に向かって突出する２つの突出部１２，１２が設けられている。２つの突出部１２，１２は、ノズル部１０を挟んで互いに反対側に位置するような配置でそれぞれ設けられている。
【００１７】
また２つの突出部１２，１２は、図２に示すように、ノズル部１０の筒軸方向において互いにずれた位置で設けられている。２つの突出部１２，１２は、ノズル部１０の筒軸方向においてその一部がわずかに重なった配置で設けられている。
【００１８】
２つの突出部１２，１２は、いずれもなだらかな略山形状に突出しており、その先端１２Ａ、１２Ａに曲率が設けられている。また、２つの突出部１２，１２は、その突出する高さがほぼ等しいものとなっている。
【００１９】
本実施形態の排泄用洗浄ノズル１は、ノズル部１０の外径Ｗ１が約７ｍｍとされ、ノズル部１０と２つの突出部１２，１２とを含めた幅Ｗ２が１０〜１３ｍｍとされている。また、ノズル部の長さＷ３は約１００ｍｍとされている。なお、このようなノズル部１０の外径Ｗ１、幅Ｗ２、長さＷ３等は、使用者の体格等に応じて適宜変更してもよい。
【００２０】
上記のような構成とされた排泄用洗浄ノズル１の使用態様について、図３を参照して説明する。排泄用洗浄ノズル１は、図３に示すように、ノズル部１０の両端部のうち他方の端部側、即ち肛門挿入部１０Ａ側とは反対側に設けられた開口（以下、連結具接続口１０Ｂと称する）を、洗浄液Ｃが充填される洗浄ボトル２０と連結した状態で使用する。洗浄ボトル２０については、排泄用洗浄ノズル１と洗浄ボトル２０とを連結した後に洗浄ボトル２０内に洗浄液Ｃを充填してもよいし、予め洗浄液Ｃが充填された洗浄ボトル２０を排泄用洗浄ノズル１と連結してもよい。この洗浄ボトル２０は、片手で圧縮することができるような大きさ及び材質のものを使用する。
【００２１】
排泄用洗浄ノズル１と洗浄ボトル２０との連結は、市販の透明な樹脂管３０及び連結具３２を介して行うことができる。具体的には、図３に示すように、排泄用洗浄ノズル１の連結具接続口１０Ｂに連結具３２の一端を挿入し、その連結具３２の他端を樹脂管３０の一端に挿入することで排泄用洗浄ノズル１と樹脂管３０とを接続することができる。
【００２２】
一方、洗浄ボトル２０には、その蓋部分２２に当該洗浄ボトル２０と連通するように樹脂管３０の一端を直接接続し、樹脂管３０と洗浄ボトル２０とを一体化する。そして、必要とする排泄用洗浄ノズル１と洗浄ボトル２０との間の長さに応じて、排泄用洗浄ノズル１と洗浄ボトルの間を連結するための樹脂管３０の数や長さを変更する。なお、樹脂管３０同士の接続は、上述した連結具３２を介することで行う（図３参照）。
【００２３】
このようにして排泄用洗浄ノズル１を洗浄ボトル２０と連結することで、洗浄ボトル２０内の洗浄液Ｃを排泄用洗浄ノズル１へと送り込み、排泄用洗浄ノズル１の肛門挿入部１０Ａから放出させることができる。なお、排泄用洗浄ノズル１の連結具接続口１０Ｂと連結具３２との接続、及び樹脂管３０と連結具３２との接続は、それらの内部を流れる洗浄液Ｃが液漏れしないような態様で行うものとする。樹脂管３０と連結具３２とを接続し難い場合は、樹脂管３０を加熱等して接続する。
【００２４】
また、図３に示すように、洗浄ボトル２０の底面に吸気孔弁２４を設けることで、洗浄ボトル２０から排泄用洗浄ノズル１へと円滑に洗浄液Ｃを送り込むことができる。さらに、洗浄ボトル２０の蓋部分２２の内部に逆流防止弁（不図示）を設けることで、洗浄ボトル２０から排泄用洗浄ノズル１へと送り込まれた洗浄液Ｃが洗浄ボトル２０内に逆流することを防止することができる。
【００２５】
続いて、洗浄ボトル２０と連結された排泄用洗浄ノズル１について、使用者が実際にトイレで使用する際の使用手順の一例について説明する。排泄用洗浄ノズル１を使用する際には、使用者は、まずノズル部１０の肛門挿入部１０Ａ近傍に軟膏を塗った後、一方の手で洗浄ボトル２０を持ち、他方の手で排泄用洗浄ノズル１を持って肛門挿入部１０Ａを肛門に挿入する。
【００２６】
次に使用者は、排泄用洗浄ノズル１のノズル部１０をその筒軸方向に沿って摺動させるとともにその筒軸周りに回転させる。この摺動操作及び回転操作では、ノズル部１０に設けられた２つの突出部１２を肛門に出し入れしながら行う。これにより、腸内の宿便が２つの突出部１２によって崩されて排泄が促され、使用者は腸内の宿便を自力で排泄することができる。
【００２７】
次に使用者は、腸内で崩された便を排泄した後、一方の手に持った洗浄ボトル２０を押圧して圧縮する。これにより、洗浄ボトル２０内の洗浄液Ｃが樹脂管３０を介して排泄用洗浄ノズル１へと送り込まれ、排泄用洗浄ノズル１の肛門挿入部１０Ａに設けられた出液孔１０Ａ１から腸内へと流れ込む。洗浄液Ｃが腸内へ流れ込むことで、排泄を終えた後の腸内が洗浄される。
【００２８】
次に使用者は、排泄用洗浄ノズル１の肛門挿入部１０Ａを肛門から出し、洗浄ボトル２０を再び押圧して、肛門挿入部１０Ａから流出する洗浄液Ｃで排泄用洗浄ノズル１の肛門挿入部１０Ａ近傍（肛門に入り込んで汚れた部分）を洗浄する。これにより、排泄用洗浄ノズル１に付着した汚物等を洗い流す。
【００２９】
上記の手順によって、本実施形態の排泄用洗浄ノズル１を用いて、腸内の宿便を崩すことで排泄を促し、手動で刺激痛を加減しながら腸内を洗浄することができる。腸内の宿便を崩す作業と腸内の洗浄は別々に実行してもよいし、同時に実行してもよい。腸内の宿便が残留している場合には、上記の使用手順を繰り返すことで、腸内の宿便を完全に排泄させることができる。使用後の排泄用洗浄ノズル１は消毒を行い、繰り返して衛生的に使用できるようにする。
【００３０】
なお上記の使用手順では、予めトイレの便器周りにビニルカーテン等を取り付けておくことで、宿便の排泄時や腸内の洗浄時に宿便や汚水が飛散した場合でも、トイレの周囲が汚染されることを防止することができる。また、排泄用洗浄ノズル１を使用する際にビニル手袋等を着用することで、宿便の排泄及び腸内の洗浄を衛生的に行うことができる。
【００３１】
以上説明したように本実施形態に係る排泄用洗浄ノズル１によれば、ノズル部１０の肛門挿入部１０Ａが肛門に挿入された状態で、連結具接続口１０Ｂから洗浄液Ｃを注入して肛門挿入部１０Ａに設けられた出液孔１０Ａ１から腸内へと流入させることで腸内を洗浄することができる。また、肛門挿入部１０Ａが肛門に挿入された状態で、ノズル部１０をその筒軸方向に摺動させるとともにその筒軸周りに回転させることで腸内の宿便を２つの突出部１２によって崩すことができる。このとき、２つの突出部１２がノズル部１０の筒軸方向において互いにずれた位置で設けられていることから、ノズル部１０をその筒軸方向に摺動させても、２つの突出部１２が交互に肛門を通過し、同時に肛門を通過することがない。このため、本実施形態の排泄用洗浄ノズル１では、複数の突出部が同時に肛門を通過することで肛門が過度に拡張するのを防止しながら宿便の排泄促進と腸内の洗浄を行うことができ、痔疾等の者が使用する場合でも使用時に刺激痛が伴うことを抑制することができる。
【００３２】
また本実施形態の排泄用洗浄ノズル１では、２つの突出部１２の先端１２Ａにそれぞれ曲率が設けられている。このような構成とされていることで、突出部の先端が先尖状とされている場合と比べて、各突出部１２が肛門を通過する際に刺激痛が伴うことを抑制することができる。
【００３３】
なお、本実施形態の排泄用洗浄ノズル１のように腸内の宿便を崩して排泄を促すための器具と腸内を洗浄するためのノズルとを一体化したものは従来見られなかった。本実施形態の排泄用洗浄ノズル１は、上述したように宿便の排泄促進と腸内の洗浄とを一つの器具で行うことができるため、利便性に優れている。
【００３４】
また本実施形態の排泄用洗浄ノズル１は、容易に持ち運びできるので、トイレ以外の場所でも使用することができる。例えば、使用者がうつ伏せになった状態でも使用することができるため、寝たきりの患者に対しても使用することができ、利便性に優れている。なお、このような寝たきりの患者に対して排泄用洗浄ノズル１を使用する場合、洗浄ボトル２０の替わりに浣腸器を使用してもよい。
【００３５】
＜実施形態２＞
図４を参照して実施形態２を説明する。実施形態２は、排泄用洗浄ノズル１０１のノズル部１１０に溝が設けられている点で実施形態１のものと異なっている。なお、図４において、図１の参照符号に数字１００を加えた部位は、実施形態１で説明した部位と同一である。
【００３６】
本実施形態の排泄用洗浄ノズル１０１では、図４に示すように、ノズル部１１０の外周面のうち各突出部１１２と重ならない位置に、ノズル部１１０の筒軸方向に沿って溝状をなす複数の溝部１１４が設けられている。各溝部１１４は、肛門挿入部１１０Ａから連結具接続口１１０Ｂに至るまで設けられている。
【００３７】
本実施形態ではこのようにノズル部１１０に複数の溝部１１４が設けられていることで、腸内を洗浄する際、腸内を洗浄した洗浄液が肛門挿入部１１０Ａから複数の溝部１１４を通って体外へと排出されることとなる。このため、ノズル部１１０の肛門挿入部１１０Ａを肛門から出さなくても、腸内に注入した洗浄液を溝部１１４によって体外へと効果的に排出させることができ、利便性を高めることができる。
【００３８】
＜実施形態３＞
図５及び図６を参照して実施形態３を説明する。実施形態３は、排泄用洗浄ノズル２０１のノズル部２１０における肛門挿入部２１０Ａの構成及び汚水防止板２４０を備える点で実施形態１及び実施形態２のものと異なっている。なお、図５において図４の参照符号に数字１００を加えた部位、及び図６において図３の参照符号に数字２００を加えた部位は、実施形態１及び実施形態２で説明した部位と同一である。
【００３９】
本実施形態の排泄用洗浄ノズル２０１では、図５に示すように、ノズル部２１０における肛門挿入部２１０Ａが先窄み状とされている。そして、先窄み状とされた肛門挿入部２１０Ａの先端の中央に、筒軸方向に突出する扁平状の突起２１０Ａ２が設けられている。さらに、この突起２１０Ａ２の周りには、洗浄液が噴出される２つの出液孔２１０Ａ１が設けられている。なお、本実施形態において、上述した突起２１０Ａ２の突出する高さは約７ｍｍとされている。また、ノズル部２１０には、実施形態２と同様に、当該ノズル部２１０の筒軸方向に沿って溝状をなす溝部２１４が設けられている。本実施形態では、この溝部２１４が、肛門挿入部２１０Ａから汚水防止板２４０に至るまで設けられている。
【００４０】
さらに本実施形態の排泄用洗浄ノズル２０１は、図６に示すように、ノズル部２１０における連結具接続口２１０Ｂ近傍の周りに、その板面がノズル部２１０の筒軸方向と略直交する姿勢で配された汚水防止板２４０を備えている。汚水防止板２４０は、浅皿状をなしており、その略中央位置に当該汚水防止板２４０の板面を貫通する貫通孔２４０Ａが設けられている。この貫通孔２４０Ａの内径は、ノズル部２１０における連結具接続口２１０Ｂ近傍の外径と略等しいものとされている。また、汚水防止板２４０には、貫通孔２４０Ａの一方の開口縁からノズル部２１０の筒軸方向にリブ状に突出する防止板リブ２４０Ｂが設けられている。汚水防止板２４０は、貫通孔２４０Ａ内にノズル部２１０における連結具接続口２１０Ｂ近傍の部位が挿通されることで、ノズル部２１０に対して取り付けられている。
【００４１】
本実施形態では、ノズル部２１０における肛門挿入部２１０Ａが上述したような構成とされていることで、排泄用洗浄ノズル２０１を使用して腸内の宿便を崩す際、肛門挿入部２１０Ａに設けられた突起２１０Ａ２を利用して腸内の宿便を効果的に崩すことができる。また、肛門挿入部２１０Ａに設けられた２つの出液孔２１０Ａ１の開口径はそれぞれノズル部２１０の内径よりも小さなものとなるので、排泄用洗浄ノズル２０１を使用して腸内を洗浄する際、各出液孔２１０Ａ１から噴出される洗浄液の水圧が高められ、腸内を効果的に洗浄することができる。
【００４２】
また本実施形態では、排泄用洗浄ノズル２０１が上述したような汚水防止板２４０を備えることで、排泄用洗浄ノズル２０１を使用して腸内を洗浄する際、体外へと排出される汚れた洗浄液（汚水）を汚水防止板２４０によって受け止めることができる。このため、体外へと排出された汚水が使用者の周囲に漏洩することを防止することができる。なお、汚水防止板２４０は、その貫通孔２４０Ａにノズル部２１０が挿通されることでその防止板リブ２４０Ｂの内周面がノズル部２１０の外周面に宛がわれた状態となり、防止板リブ２４０Ｂによってその板面方向に支持されるため、ノズル部２１０に取り付けられた汚水防止板２４０が傾くことを防止することができる。  
【００４３】
上記の各実施形態の変形例を以下に列挙する。
（１）上記の各実施形態では、排泄用洗浄ノズルのノズル部に２つの突出部が設けられた構成を例示したが、ノズル部に設けられる突出部の数は限定されない。ノズル部に３つ以上の突出部が設けられていてもよい。
【００４４】
（２）上記の各実施形態では、突出部の突出する形状がなだらかな略山形状とされた構成を例示したが、突出部の突出する形状については限定されない。
【００４５】
（３）上記の各実施形態では、排泄用洗浄ノズルに連結具及び樹脂管を介して洗浄ボトルを接続した状態で当該排泄用洗浄ノズルを使用する例を示したが、排泄用洗浄ノズルの使用態様については限定されない。
【００４６】
（４）上記の実施形態２において、ノズル部に設けられる溝部の数については、適宜に変更可能である。
【００４７】
（５）上記の実施形態３では、ノズル部の肛門挿入部に１つの突起と２つの出液孔が設けられた構成を例示したが、肛門挿入部に設けられる突起の数及び出液孔の数については限定されない。
【符号の説明】
【００４８】
１、１０１、２０１…排泄用洗浄ノズル
１０、１１０、２１０…ノズル部
１０Ａ、１１０Ａ、２１０Ａ…肛門挿入部
１０Ａ１、１１０Ａ１、２１０Ａ１…出液孔
１０Ｂ、１１０Ｂ、２１０Ｂ…連結具接続口
１２、１１２、２１２…突出部
２０…洗浄ボトル
２２…蓋部
２４…吸気孔弁
３０…樹脂管
３２…連結具
１１４、２１４…溝部
２１０Ａ２…突起
２４０…汚水防止板
２４０Ａ…貫通孔
２４０Ｂ…防止板リブ
Ｃ…洗浄液
【図１】
0003189063.tif 000003
【図２】
0003189063.tif 000004
【図３】
0003189063.tif 000005
【図４】
0003189063.tif 000006
【図５】
0003189063.tif 000007
【図６】
0003189063.tif 000008